(57)【特許請求の範囲】
【請求項１】
携帯端末装置との間でデータを送受信する通信部と、
前記通信部が受信する前記携帯端末装置から送信される楽曲データを再生する再生部と、
前記通信部により、前記携帯端末装置に記憶されている前記楽曲データの、ジャンル、楽曲名、アルバム名、アーティスト名、作詞者名、作曲者名のいずれかである楽曲情報を、複数の前記携帯端末装置から受信し、
前記通信部により、共通する前記楽曲情報が多い前記楽曲データを記憶する前記携帯端末装置に、前記楽曲データの送信を指示する制御部と、
を備えることを特徴とする音楽再生装置。
【請求項２】
前記制御部は、前記通信部により、共通する前記楽曲情報が多い前記楽曲情報に対応する前記楽曲データから順に、前記楽曲データを送信するように、前記携帯端末装置に、前記楽曲データの送信を指示することを特徴とする請求項１に記載の音楽再生装置。
【請求項３】
携帯端末装置との間でデータを送受信する通信部と、
前記通信部が受信する前記携帯端末装置から送信される楽曲データを再生する再生部と、
制御部と、
を備えるコンピュータの前記制御部に、
前記通信部による、前記携帯端末装置に記憶されている前記楽曲データの、ジャンル、楽曲名、アルバム名、アーティスト名、作詞者名、作曲者名のいずれかである楽曲情報の、複数の前記携帯端末装置からの受信、
前記通信部による、共通する前記楽曲情報が多い前記楽曲データを記憶する前記携帯端末装置への、前記楽曲データの送信の指示、
を実行させるための音楽再生プログラム。
【発明の詳細な説明】
【技術分野】
【０００１】
本発明は、携帯端末装置から無線送信される楽曲データを再生する音楽再生装置、及び、音楽再生プログラムに関する。
【背景技術】
【０００２】
近年、スマートフォン等の携帯端末装置に記憶されている楽曲データを、ＡＶアンプ等の音楽再生装置に無線送信し、音楽再生装置で再生する技術が開発されている（例えば、特許文献１参照。）。複数の携帯端末装置が存在し、且つ、１つの音楽再生装置が存在する場合、図１０に示すように、１つの携帯端末装置に記憶されている楽曲データが、音楽再生装置で再生される。このような状態で、他の携帯端末装置に記憶されている楽曲データを音楽再生装置で再生する場合、携帯端末装置での操作が必要となる。
【先行技術文献】
【特許文献】
【０００３】
【特許文献１】特開２００９−１２２９１１号公報
【発明の概要】
【発明が解決しようとする課題】
【０００４】
複数の携帯端末装置が存在し、且つ、１つの音楽再生装置が存在する場合、ユーザーは、楽曲データが再生される１つの携帯端末装置を選択する必要がある。しかしながら、複数の携帯端末装置のユーザーの嗜好が分かれることがあるため、楽曲データが再生される携帯端末装置の選択は困難である。また、ユーザーの嗜好が合えばよいが、合わないこともある。
【０００５】
本発明の目的は、複数のユーザーの嗜好に適した楽曲を再生可能とすることである。
【課題を解決するための手段】
【０００６】
第１の発明の音楽再生装置は、携帯端末装置との間でデータを送受信する通信部と、前記通信部が受信する前記携帯端末装置から送信される楽曲データを再生する再生部と、前記通信部により、前記携帯端末装置に記憶されている前記楽曲データの楽曲情報を、複数の前記携帯端末装置から受信し、前記通信部により、共通する前記楽曲情報が多い前記楽曲データを記憶する前記携帯端末装置に、前記楽曲データの送信を指示する制御部と、を備えることを特徴とする。
【０００７】
本発明では、制御部は、通信部により、共通する楽曲情報が多い楽曲データを記憶する携帯端末装置に、楽曲データの送信を指示する。例えば、楽曲情報がジャンルである場合、共通するジャンル（例えば、ロック）が多い楽曲データを記憶する携帯端末装置から送信される楽曲データが音楽再生装置で再生される。従って、例えば、複数のユーザーが、ジャンルがロックの楽曲データを多く携帯端末装置に記憶していれば、ジャンルとしてロックを好んでいるため、複数のユーザーの嗜好（例えば、ジャンルとしてロックを好む）に適した楽曲を音楽再生装置で再生することができる。
【０００８】
第２の発明の音楽再生装置は、第１の発明の音楽再生装置において、前記制御部は、前記通信部により、共通する前記楽曲情報が多い前記楽曲情報に対応する前記楽曲データから順に、前記楽曲データを送信するように、前記携帯端末装置に、前記楽曲データの送信を指示することを特徴とする。
【０００９】
本発明では、制御部は、共通する楽曲情報が多い楽曲情報に対応する楽曲データから順に、楽曲データを送信するように、携帯端末装置に、楽曲データの送信を指示する。例えば、楽曲情報がジャンルである場合、共通するジャンル（例えば、ロック）が多いジャンルに対応する楽曲データから順に、音楽再生装置で再生される。従って、例えば、複数のユーザーが、ジャンルがロックの楽曲データを多く携帯端末装置に記憶していれば、ジャンルとしてロックを好んでいるため、複数のユーザーの嗜好（例えば、ジャンルとしてロックを好む）に適した楽曲を音楽再生装置で再生することができる。
【００１０】
第３の発明の音楽再生プログラムは、携帯端末装置との間でデータを送受信する通信部と、前記通信部が受信する前記携帯端末装置から送信される楽曲データを再生する再生部と、制御部と、を備えるコンピュータの前記制御部に、前記通信部による、前記携帯端末装置に記憶されている前記楽曲データの楽曲情報の、複数の前記携帯端末装置からの受信、前記通信部による、共通する前記楽曲情報が多い前記楽曲データを記憶する前記携帯端末装置への、前記楽曲データの送信の指示、を実行させる。
【発明の効果】
【００１１】
本発明によれば、複数のユーザーの嗜好に適した楽曲を再生することができる。
【図面の簡単な説明】
【００１２】
【図１】本発明の実施形態に係るＡＶアンプの構成を示すブロック図である。
【図２】楽曲情報であるジャンルを示す図である。
【図３】スマートフォンに記憶されている楽曲データのジャンルを示す図である。
【図４】各スマートフォンに記憶されている各ジャンルの楽曲数を示す図である。
【図５】共通する楽曲数が多いジャンル順にソートされたジャンルを示す図である。
【図６】スマートフォンから楽曲情報を取得する場合のＡＶアンプの処理動作を示すフローチャートである。
【図７】ジャンルリストを示す図である。
【図８】スマートフォンから楽曲情報を取得する場合のＡＶアンプの処理動作を示すフローチャートである（変形例）。
【図９】スマートフォンから楽曲情報を取得する場合のＡＶアンプの処理動作を示すフローチャートである（変形例）。
【図１０】携帯端末装置に記憶されている楽曲データを、音楽再生装置に無線送信し、音楽再生装置で再生する例を示した図である。
【発明を実施するための形態】
【００１３】
以下、本発明の実施形態について説明する。図１は、本実施形態に係るＡＶアンプの構成を示すブロック図である。ＡＶアンプ１（音楽再生装置）は、スマートフォン１００ａ〜１００ｃ（携帯端末装置）から無線送信される楽曲データを再生する。ＡＶアンプ１とスマートフォン１００ａ〜１００ｃとは、例えば、無線ＬＡＮにより接続され、ＤＬＮＡ（登録商標）規格に従って通信を行う。
【００１４】
ＡＶアンプ１は、制御部２、記憶部３、表示部４、操作部５、通信部６、再生部７を備える。制御部２は、記憶部３に記憶された制御プログラムに従って、ＡＶアンプ１を構成する各部を制御する。制御部２が実行する処理については後述する。記憶部３は、制御部２の主メモリとして機能するＲＡＭ（Random Access Memory）、制御プログラムを記憶するＲＯＭ（Read Only Memory）から構成されている。なお、記憶部３は、例示する構成に限られず、フラッシュメモリ等を含んでいてもよい。表示部４は、設定画面等を表示するものであり、ＬＣＤ（液晶ディスプレイ）や蛍光表示管等である。操作部５は、ユーザー操作を受け付けるためのものであり、ＡＶアンプ１の筐体に設けられた操作ボタンやリモートコントローラである。
【００１５】
通信部６は、無線ＬＡＮを介して、外部の機器（本実施形態では、スマートフォン１００）とコマンドやデータを送受信するネットワークインターフェースである。制御部２は、通信部６により、スマートフォン１００から送信される指示（コマンド）、楽曲データ、楽曲データの楽曲情報を受信する。また、制御部２は、通信部６により、スマートフォン１００に指示（コマンド）を送信する。
【００１６】
再生部７は、通信部６が受信するスマートフォン１００から送信される楽曲データを再生する。再生部７は、ＤＳＰ（Digital Signal Processor）７１、Ｄ／Ａコンバータ７２、パワーアンプ７３を有する。ＤＳＰ７１は、通信部６が受信する楽曲データに対して音声信号処理を行う。Ｄ／Ａコンバータ７２は、ＤＳＰ７１が音声信号処理を行った楽曲データ（デジタルデータ）をＤ／Ａ変換する。パワーアンプ７３は、Ｄ／Ａコンバータ７２がＤ／Ａ変換した楽曲データを増幅し、スピーカー２００に出力する。スピーカー２００は、パワーアンプ７３が増幅した楽曲データに従って音声を出力する。
【００１７】
制御部２は、通信部６により、スマートフォン１００ａ〜１００ｃに記憶されている楽曲データの楽曲情報（ここでは、「ジャンル」）を、複数のスマートフォン１００ａ〜１００ｃから受信する。このため、制御部２は、スマートフォン１００ａ〜１００ｃに、記憶されている楽曲データの楽曲情報を送信させる指示を送信する。スマートフォン１００ａ〜１００ｃは、この指示を受信し、記憶されている楽曲データの楽曲情報をＡＶアンプ１に送信する。制御部２は、上記のように、通信部６により、楽曲情報を受信する。
【００１８】
図２は、楽曲情報であるジャンルを示す図である。本実施形態では、１０個のジャンルがあるものとする。また、各ジャンルには、「０」〜「９」の番号が対応付けられている。例えば、「０」には、「ＲＯＣＫ」、「１」には、「ＪＡＺＺ」が対応付けられている。図３は、スマートフォン１００ａ〜１００ｃに記憶されている楽曲データのジャンルを示す図である。例えば、スマートフォン１００ａに記憶されている楽曲９のジャンルは、「５」であるから、「Ｒ＆Ｂ」である。ここでは、各スマートフォン１００に２１曲の楽曲データが記憶されているものとする。
【００１９】
制御部２は、通信部６により、共通する楽曲情報（ここでは、「ジャンル」）が多い楽曲データを記憶するスマートフォン１００に楽曲データの送信を指示する。このため、制御部２は、各スマートフォン１００に記憶されている各ジャンルの楽曲数を計数する。図４は、各スマートフォン１００に記憶されている各ジャンルの楽曲数を示す図である。例えば、スマートフォン１００ｃに記憶されているジャンル「ＲＯＣＫ」の楽曲数は、「２」である。
【００２０】
また、制御部２は、各スマートフォン１００に記憶されている各ジャンルの共通する楽曲数を計数する。例えば、各スマートフォン１００に記憶されているジャンル「Ｒ＆Ｂ」の共通する楽曲数は、「２」である（図４の「共通」欄参照。）。共通するジャンルが多いジャンルは、楽曲数が「２」である「Ｄｏｍｅｓｔｉｃ（Ｊ−ｐｏｐｓ）」、「Ｒ＆Ｂ」である。ジャンル「Ｄｏｍｅｓｔｉｃ（Ｊ−ｐｏｐｓ）」、「Ｒ＆Ｂ」が多い楽曲データを記憶するスマートフォン１００は、スマートフォン１００ｃであるため（ジャンル「Ｄｏｍｅｓｔｉｃ（Ｊ−ｐｏｐｓ）」の楽曲数「４」、「Ｒ＆Ｂ」の楽曲数「３」））、制御部２は、楽曲データの送信を指示するスマートフォン１００をスマートフォン１００ｃに決定する。そして、制御部２は、通信部６により、スマートフォン１００ｃに楽曲データの送信を指示する。
【００２１】
また、制御部２は、通信部６により、共通する楽曲情報（ここでは、「ジャンル」）が多い楽曲情報（ここでは、「ジャンル」）に対応する楽曲データから順に、楽曲データを送信するように、スマートフォン１００に、楽曲データの送信を指示する。このため、制御部２は、共通する楽曲数が多いジャンル順にジャンルをソートする。図５は、共通する楽曲数が多いジャンル順にソートされたジャンルを示す図である。共通する楽曲数が多いジャンルは、「Ｄｏｍｅｓｔｉｃ（Ｊ−ｐｏｐｓ）」、「Ｒ＆Ｂ」、・・・の順であるため、制御部２は、通信部６により、「Ｄｏｍｅｓｔｉｃ（Ｊ−ｐｏｐｓ）」、「Ｒ＆Ｂ」、・・・に対応する楽曲データから順に、楽曲データを送信するように、スマートフォン１００ｃに、楽曲データの送信を指示する。
【００２２】
以下、スマートフォン１００から楽曲情報を取得する場合のＡＶアンプ１の処理動作を、図６に示すフローチャートに基づいて説明する。制御部２は、取得する楽曲情報を「ジャンル」に設定する（Ｓ１）。次に、制御部２は、接続されているスマートフォン１００を検索し、記憶部３に記憶する（Ｓ２）。次に、制御部２は、楽曲情報を取得するスマートフォン１００を選択する（Ｓ３）。次に、制御部２は、選択したスマートフォン１００から１曲抽出し、その楽曲データのジャンルを取得する（Ｓ４）。具体的には、制御部２は、通信部６により、抽出した楽曲データのジャンルの送信指示をスマートフォン１００に送信する。また、制御部２は、通信部６により、スマートフォン１００から送信されるジャンルを受信する。
【００２３】
次に、制御部２は、取得したジャンルがジャンルリストに登録されているか否かを判断する（Ｓ５）。図７は、記憶部３に記憶されるジャンルリストを示す図である。図示するように、ジャンルリストにおいては、ジャンルと、スマートフォン１００の情報と、が対応付けて記憶されている。図７（ａ）に示す状態において、例えば、制御部２は、スマートフォン１００ａからジャンル「ＪＡＺＺ」を取得した場合、ジャンル「ＪＡＺＺ」は、ジャンルリストに登録されているため、受信したジャンル「ＪＡＺＺ」がジャンルリストに登録されていると判断する。図７（ａ）に示す状態において、例えば、制御部２は、スマートフォン１００ａからジャンル「ＰＯＰ」を取得した場合、ジャンル「ＰＯＰ」は、ジャンルリストに登録されていないため、受信したジャンル「ＰＯＰ」がジャンルリストに登録されていると判断する。
【００２４】
制御部２は、取得したジャンルがジャンルリストに登録されていると判断した場合（Ｓ５：Ｙｅｓ）、ジャンルリストにおける対応するジャンルの楽曲数をカウントアップする（Ｓ６）。図７（ａ）に示す状態において、例えば、制御部２は、スマートフォン１００ａからジャンル「ＪＡＺＺ」を取得した場合、図７（ｂ）に示すように、ジャンルリストにおける対応するジャンル「ＪＡＺＺ」の楽曲数を「１」から「２」にカウントアップする。制御部２は、取得したジャンルがジャンルリストに登録されていないと判断した場合（Ｓ５：Ｎｏ）、取得したジャンルをジャンルリストに新規ジャンルとして登録し、楽曲数を「１」に設定する（Ｓ７）。図７（ａ）に示す状態において、例えば、制御部２は、スマートフォン１００ａからジャンル「ＰＯＰ」を取得した場合、図７（ｃ）に示すように、取得したジャンル「ＰＯＰ」をジャンルリストに新規ジャンルとして登録し、楽曲数を「１」に設定する。
【００２５】
Ｓ６、又は、Ｓ７の後、制御部２は、１つのスマートフォン１００から、全楽曲データの検索を完了したか否かを判断する（Ｓ８）。制御部２は、１つのスマートフォン１００から、全楽曲データの検索を完了していないと判断した場合（Ｓ８：Ｎｏ）、Ｓ４の処理を行う。制御部２は、１つのスマートフォン１００から、全楽曲データの検索を完了したと判断した場合（Ｓ８：Ｙｅｓ）、全てのスマートフォン１００の検索を完了したか否かを判断する（Ｓ９）。制御部２は、全てのスマートフォン１００の検索を完了していないと判断した場合（Ｓ９：Ｎｏ）、Ｓ４の処理を実行する。制御部２は、全てのスマートフォンの検索を完了したと判断した場合（Ｓ９：Ｙｅｓ）、ジャンルリストにおける各ジャンルの楽曲数を確認する（Ｓ１０）。
【００２６】
次に、制御部２は、全てのジャンルの検索を完了したか否かを判断する（Ｓ１１）。制御部２は、全てのジャンルの検索を完了していないと判断した場合（Ｓ１１：Ｎｏ）、Ｓ１０の処理を実行する。制御部２は、全てのジャンルの検索を完了したと判断した場合（Ｓ１１：Ｙｅｓ）、共通する楽曲数が多いジャンル順にジャンルをソートする（Ｓ１２）。
【００２７】
以上説明したように、本実施形態では、制御部２は、通信部６により、共通する楽曲情報が多い楽曲データを記憶するスマートフォン１００に、楽曲データの送信を指示する。例えば、楽曲情報がジャンルである場合、共通するジャンル（例えば、「ＲＯＣＫ」）が多い楽曲データを記憶するスマートフォン１００から送信される楽曲データがＡＶアンプ１で再生される。従って、例えば、複数のユーザーが、ジャンルが「ＲＯＣＫ」の楽曲データを多くスマートフォンに記憶していれば、ジャンルとして「ＲＯＣＫ」を好んでいるため、複数のユーザーの嗜好（例えば、ジャンルとして「ＲＯＣＫ」を好む）に適した楽曲をＡＶアンプ１で再生することができる。
【００２８】
また、本実施形態では、制御部２は、共通する楽曲情報が多い楽曲情報に対応する楽曲データから順に、楽曲データを送信するように、スマートフォン１００に、楽曲データの送信を指示する。例えば、楽曲情報がジャンルである場合、共通するジャンル（例えば、「ＲＯＣＫ」）が多いジャンルに対応する楽曲データから順に、ＡＶアンプ１で再生される。従って、例えば、複数のユーザーが、ジャンルが「ＲＯＣＫ」の楽曲データを多くスマートフォン１００に記憶していれば、ジャンルとして「ＲＯＣＫ」を好んでいるため、複数のユーザーの嗜好（例えば、ジャンルとしてロックを好む）に適した楽曲をＡＶアンプ１で再生することができる。
【００２９】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００３０】
以下、上述の実施形態の変形例について説明する。図８及び図９は、スマートフォン１００から楽曲情報を取得する場合のＡＶアンプ１の処理動作を示すフローチャートである。制御部２は、取得する楽曲情報を「ジャンル」に設定する（Ｓ１１）。次に、制御部２は、接続されているスマートフォン１００を検索し、記憶部３に記憶する（Ｓ１２）。次に、制御部２は、ジャンルを取得する２つのスマートフォン１００を選択する（Ｓ１３）。例えば、制御部２は、ジャンルを取得するスマートフォン１００として、スマートフォン１００ａ、１００ｂを選択する。
【００３１】
次に、制御部２は、２つのスマートフォン１００から楽曲データのジャンルを１曲ずつ取得し、比較する（Ｓ１４）。制御部２は、比較したジャンルが共通しているか否かを判断する（Ｓ１５）。制御部２は、比較したジャンルが共通していると判断した場合（Ｓ１５：Ｙｅｓ）、そのジャンルの楽曲データを再生候補リストに登録する（Ｓ１６）。制御部２は、比較したジャンルが共通していないと判断した場合（Ｓ１５：Ｎｏ）、そのジャンルの楽曲データを非再生候補リストに登録する（Ｓ１７）。次に、制御部２は、比較したジャンルを各スマートフォン１００のジャンルリストに登録する（Ｓ１８）。この例では、記憶部３に、スマートフォン１００毎にジャンルリストが作成される。ジャンルリストには、ジャンル名、ジャンル名に対応する楽曲数が含まれる。例えば、スマートフォン１００ａのジャンルリストは、「ジャンル＿ａ［ｘ］［ｙ］」である。ｘは、ジャンル名であり、ｙは、楽曲数である。
【００３２】
次に、制御部２は、全楽曲データの検索を完了したか否かを判断する（Ｓ１９）。制御部２は、全楽曲データの検索を完了していないと判断した場合（Ｓ１９：Ｎｏ）、Ｓ１４の処理を行う。制御部２は、全楽曲データの検索を完了したと判断した場合（Ｓ１９：Ｙｅｓ）、未検索のスマートフォン１００（例えば、スマートフォン１００ｃ）からジャンルを取得する（Ｓ２０）。次に、制御部２は、取得したジャンルと再生候補リストのジャンルとを比較する（Ｓ２１）。次に、制御部２は、比較したジャンルが共通しているか否かを判断する（Ｓ２２）。制御部２は、比較したジャンルが共通していると判断した場合（Ｓ２２：Ｙｅｓ）、そのジャンルの楽曲データを再生候補リストに登録する（Ｓ２３）。制御部２は、比較したジャンルが共通していないと判断した場合（Ｓ２２：Ｎｏ）、そのジャンルの楽曲データを非再生候補リストに登録する（Ｓ２４）。次に、制御部２は、比較したジャンルをスマートフォン１００（例えば、スマートフォン１００ｃ）のジャンルリストに登録する（Ｓ２５）。
【００３３】
次に、制御部２は、全楽曲データの検索を完了したか否かを判断する（Ｓ２６）。制御部２は、全楽曲データの検索を完了していないと判断した場合（Ｓ２６：Ｎｏ）、Ｓ２１の処理を行う。制御部２は、全楽曲データの検索を完了したと判断した場合（Ｓ２６：Ｙｅｓ）、全てのスマートフォン１００の検索を完了したか否かを判断する（Ｓ２７）。制御部２は、全てのスマートフォン１００の検索を完了していないと判断した場合（Ｓ２７：Ｎｏ）、Ｓ２０の処理を行う。
【００３４】
制御部２は、全てのスマートフォン１００の検索を完了したと判断した場合（Ｓ２７：Ｙｅｓ）、各スマートフォン１００のジャンルリストにおける、総楽曲数に対する各ジャンルの楽曲数の割合を算出する（Ｓ２８）。次に、制御部２は、再生候補リスト内のジャンルに対して割合に応じたポイントを加算する（Ｓ２９）。例えば、あるジャンルの総楽曲数に対する割合が、８０〜１００％であれば、そのジャンルに対して５ポイントを加算する。また、あるジャンルの総楽曲数に対する割合が、６０〜７９％であれば、そのジャンルに対して４ポイント加算する。また、あるジャンルの総楽曲数に対する割合が、４０〜５９％であれば、そのジャンルに対して３ポイント加算する。また、あるジャンルの総楽曲数に対する割合が、２０〜３９％であれば、そのジャンルに対して２ポイントを加算する。また、あるジャンルの総楽曲数に対する割合が、０〜１９％であれば、そのジャンルに対して１ポイント加算する。
【００３５】
そして、制御部２は、再生候補リストにおいて、ポイントが高いジャンル順にソートする（Ｓ３０）。制御部２は、通信部６により、ソートしたジャンル順に楽曲データを送信するように、楽曲データを送信する指示をスマートフォン１００に送信する。
【００３６】
上述の実施形態においては、楽曲情報として、ジャンルを例示した。これに限らず、楽曲情報は、楽曲名、アルバム名、アーティスト名、作詞者名、作曲者名等であってもよい。
【００３７】
上述の実施形態においては、音楽再生装置として、ＡＶアンプ１を例示した。これに限らず、ＣＤプレーヤー、ＨＤＤ（Hard Disk Drive）プレーヤー、パーソナルコンピューター等であってもよい。また、携帯端末装置１００として、スマートフォン１００を例示した。これに限らず、携帯音楽プレーヤー、タブレットＰＣ等であってもよい。
【００３８】
上述の実施形態においては、ＡＶアンプ１とスマートフォン１００ａ〜１００ｃとは、無線ＬＡＮにより接続され、ＤＬＮＡ（登録商標）規格に従って通信を行う場合について説明した。これに限らず、ＡＶアンプ１とスマートフォン１００ａ〜１００ｃとは、Ｂｌｕｅｔｏｏｔｈ（登録商標）により接続され、同規格に従って通信を行うようになっていてもよい。
【産業上の利用可能性】
【００３９】
本発明は、携帯端末装置から無線送信される楽曲データを再生する音楽再生装置、及び、音楽再生プログラムに好適に採用され得る。
【符号の説明】
【００４０】
１  ＡＶアンプ（音楽再生装置）
２  制御部
３  記憶部
６  通信部
７  再生部
１００  スマートフォン（携帯端末装置）
【図１】
0006464754.tif 000002
【図２】
0006464754.tif 000003
【図３】
0006464754.tif 000004
【図４】
0006464754.tif 000005
【図５】
0006464754.tif 000006
【図６】
0006464754.tif 000007
【図７】
0006464754.tif 000008
【図８】
0006464754.tif 000009
【図９】
0006464754.tif 000010
【図１０】
0006464754.tif 000011